(57)【要約】【課題】ドライアイス洗浄装置の騒音を効果的に低減できるようにする。【解決手段】ドライアイス粒を被洗浄物の表面に衝突させて、被洗浄物の表面の汚染物を除去あるいは洗浄するドライアイス洗浄装置１であって、被洗浄物の表面にドライアイス粒を衝突させる洗浄空間２内に作業者の腕を挿入するときに、作業者の腕をカバーするアームカバー５を有し、アームカバー５は、内部に防音材を備える。【選択図】      図１
2004249202.tif 000002
【特許請求の範囲】
【請求項１】
ドライアイス粒を被洗浄物の表面に衝突させて、前記被洗浄物の表面の汚染物を除去あるいは洗浄するドライアイス洗浄装置であって、
前記被洗浄物の表面に前記ドライアイス粒を衝突させる洗浄空間内に作業者の腕を挿入するときに、前記作業者の腕をカバーするアームカバーを有し、
前記アームカバーは、内部に防音材を備えることを特徴とするドライアイス洗浄装置。
【発明の詳細な説明】
【０００１】
【発明の属する技術分野】
本発明は、ドライアイスペレットを粉砕したドライアイス粒を噴射あるいはブラストして被洗浄物の表面に付着している汚染物を除去あるいは洗浄する場合に、ドライアイス粒が噴射ノズルから噴射される時、あるいは噴射ノズルから噴射されたドライアイス粒が被洗浄物に衝突する時に発する騒音が外界に漏れるのを低減する技術に関するものである。
【０００２】
【従来の技術】
従来のドライアイス洗浄装置は、ドライアイス粒を噴射する噴射ノズルと、噴射ノズルまでドライアイス粒を供給する機構しか備えておらず、ドライアイス粒を噴射する時に発生する騒音やドライアイス粒が被洗浄物に衝突する時に発生する騒音を軽減する手段が無く、洗浄作業の職場と作業者は元よりその周りの他の作業職場に対して騒音による環境被害を及ぼしていた。
【０００３】
そのため従来のドライアイス洗浄装置を使用する職場では、作業者にヘッドホンや耳栓等を装着させて作業者の作業環境を保護したり、ドライアイス洗浄装置を周囲が壁で囲まれた部屋に隔離して騒音が他の作業職場に漏れないようにして被害を抑えてきた。
【０００４】
また、特表２００２−５１９２０５号公報（特許文献１）に記載されているように被洗浄物を収納する洗浄室を遮音して、その洗浄室内に噴射ノズルのハンドリング機構を設けることによって外界への音漏れを遮断して対応してきた。
【０００５】
【特許文献１】
特表２００２−５１９２０５号公報
【発明が解決しようとする課題】
しかしながら、被洗浄物や洗浄部分の形状が複雑化したり、付着する汚染物に応じて洗浄能力の高度化が要求されるにつれ、ハンドリング機構の洗浄作業だけでは要求される洗浄効果が十分に得られないのが現状である。
【０００６】
そして、ハンドリング機構だけでは対応できない洗浄レベルを補うには人間の判断による人手での作業が最も効果的であるが、人間が作業する上で不可欠な作業者の腕を挿入する部分を設けた場合、遮音されていた洗浄作業空間から腕の挿入部を通して遮音したはずの騒音が漏れてくるという問題がある。
【０００７】
従って、本発明は上述した課題に鑑みてなされたものであり、その目的は、ドライアイス洗浄装置の騒音を効果的に低減できるようにすることである。
【０００８】
【課題を解決するための手段】
上述した課題を解決し、目的を達成するために、本発明のドライアイス洗浄装置は、ドライアイス粒を被洗浄物の表面に衝突させて、前記被洗浄物の表面の汚染物を除去あるいは洗浄するドライアイス洗浄装置であって、前記被洗浄物の表面に前記ドライアイス粒を衝突させる洗浄空間内に作業者の腕を挿入するときに、前記作業者の腕をカバーするアームカバーを有し、前記アームカバーは、内部に防音材を備えることを特徴とする。
【０００９】
【発明の実施の形態】
以下、本発明の好適な一実施形態について説明する。
【００１０】
まず、一実施形態の概要について説明する。
【００１１】
本実施形態のドライアイス洗浄装置は、ドライアイス粒を被洗浄物の表面に衝突させて、前記被洗浄物の表面の汚染物を除去あるいは洗浄するドライアイス洗浄装置であって、前記被洗浄物の表面に前記ドライアイス粒を衝突させる洗浄空間内に作業者の腕を挿入するときに、前記作業者の腕をカバーするアームカバーを有し、前記アームカバーは、内部に防音材を備えることを特徴とする。
【００１２】
また、本実施形態のドライアイス洗浄装置において、前記防音材は、シリコン系のゴムからなる袋にシリコン系のジェルを封入して構成されていることを特徴とする。
【００１３】
また、本実施形態のドライアイス洗浄装置において、前記シリコン系のジェルは、５００Ｈｚ〜８０００Ｈｚの周波数の騒音を遮音する材料であることを特徴とする。
【００１４】
また、本実施形態のドライアイス洗浄装置において、前記アームカバーは、前記防音材を覆う低温断熱部材を備えることを特徴とする。
【００１５】
以下、本実施形態について、図面を参照して具体的に説明する。
【００１６】
図１は、一実施形態のドライアイス洗浄装置の外観図である。図２は、ドライアイス洗浄装置に装着されるアームカバー５の構成を示す図である。図３は、アームカバー５の部分断面図である。
【００１７】
本実施形態は、ドライアイスペレットを粉砕したドライアイス粒をキャリアガスにより噴射あるいはブラストして被洗浄物の表面に付着している汚染物を除去あるいは洗浄するドライアイス洗浄装置１において、ドライアイス粒が噴射ノズル３から噴射される際に発生する騒音や噴射ノズル３から噴射されたドライアイス粒が被洗浄物に衝突する際に発生する騒音が、遮音された洗浄作業空間から外界に漏れるのを低減するものである。
【００１８】
具体的には、ドライアイス洗浄装置１の外殻を構成する筐体４内の洗浄作業空間２で洗浄作業をする時に、作業者が腕を挿入する部分であるアームカバー５に、防音材７を配置する。防音材７は、シリコン系のジェル１１を小さなシリコン系のゴム袋１２に封入したものである。アームカバー５は、多数個の防音材７を低温断熱材１３中に収納して構成されており、アームカバー蓋６に取り付けられている。シリコン系のジェル１１を封じ込めた防音材７は、特にドライアイス粒を噴射あるいはブラストするために噴射ノズル３から噴射されるキャリアガスの風切り音や、ドライアイス粒が金属板材の被洗浄物に衝突したときに発生する高周波数（５００〜８０００Ｈｚ）の騒音の遮断に対して効果的である。
【００１９】
なお、ドライアイス粒は、約−７９℃程度の低温であるため、ドライアイス粒が洗浄作業空間に噴射されると、作業空間の温度が下がり、シリコン系のジェル１１が凝固して、騒音の伝達率が上がることが考えられる。そのため、シリコン系のジェル１１を封入した防音材７を、前述したように低温断熱材１３で覆うことによりシリコン系のジェル１１が冷却されることを防止し、常時柔軟性を保てるように保護する。
【００２０】
このように構成されたアームカバー５では、作業者が腕を挿入すると、手首挿入部８、腕挿入部９、腕挿入口１０が、作業者の腕の動きに合わせて隙間なくフィットするため、洗浄作業空間２から騒音が漏れることを防止できる。
【００２１】
【実施例】
図１に示されるようなドライアイス洗浄装置１に、本実施形態の防音材を施したアームカバー５と、防音材を施していない単なるゴム製のアームカバーをそれぞれ取付け、ドライアイス洗浄装置外に漏れる騒音のレベルを測定した。
【００２２】
騒音レベルについては、騒音レベルの総和と、３１．５Ｈｚ〜８０００Ｈｚまでの各周波数ごとの騒音レベルを測定した。
【００２３】
騒音レベルの測定は、図４に示すように、ドライアイス洗浄装置１を騒音レベル測定室１５内に設置し、ドライアイス洗浄装置から１０００ｍｍ離れた位置で、高さ１０００ｍｍの位置に設置した騒音レベル測定器１６により行なった。
【００２４】
図５乃至図８は、この測定結果を示した図である。
【００２５】
図５は、被洗浄物がない場合と、被洗浄物が樹脂の板材である場合と、被洗浄物が金属の板材である場合のそれぞれについて騒音レベルの総和（単位：ｄＢ）を測定した結果を示している。また、図６は、被洗浄物がない場合の各周波数ごとの騒音レベル（単位：ｄＢ）を測定した結果を示している。また、図７は、被洗浄物が樹脂の板材である場合の各周波数ごとの騒音レベル（単位：ｄＢ）を測定した結果を示している。さらに、図８は、被洗浄物が金属の板材である場合の各周波数ごとの騒音レベル（単位：ｄＢ）を測定した結果を示している。
【００２６】
これらの図を見ると、被洗浄物の種類によって防音効果に差はあるが、どの被洗浄物の場合も、本実施形態の防音材を施したアームカバー５を使用した場合のほうが、防音材を施していないアームカバーを使用した場合よりも騒音レベルが低減されていることがわかる。
【００２７】
特に、図６乃至図８を見ると、本実施形態のアームカバーを使用した場合には、人間の耳に聞き取りやすく耳障りになる（５００〜８０００Ｈｚ）の騒音を低減する効果が大きいことがわかる。これは、サーマルリサイクルが実質的に不可能で、ドライアイス洗浄を行なってリユースされるのに特に好適である金属の板材を洗浄する場合の騒音低減に非常に効果的であることを意味しており、最大で８０ｄＢ程度の騒音が７５ｄＢ程度に抑えられる効果があり、５％程度の騒音低減が可能となる。
【００２８】
以上説明したように、上記の実施形態によれば、ドライアイスペレットを粉砕したドライアイス粒を噴射あるいはブラストして被洗浄物の表面に付着している汚染物を除去あるいは洗浄する工程において、ドライアイス粒が噴射ノズルから噴射される時に発生する騒音や噴射ノズルから噴射されたドライアイス粒が被洗浄物に衝突する時に発する騒音が遮音された洗浄空間から外界に漏れるのを低減して洗浄作業者への環境負荷を低減し、洗浄装置の使用環境の制限を払拭し、尚且つ要求される洗浄効果を満足することができるようになる。
【００２９】
【発明の効果】
以上説明したように、本発明によれば、ドライアイス洗浄装置の騒音を効果的に低減することが可能となる。
【図面の簡単な説明】
【図１】一実施形態のドライアイス洗浄装置の外観図である。
【図２】ドライアイス洗浄装置に装着されるアームカバーの構成を示す図である。
【図３】アームカバーの部分断面図である。
【図４】騒音レベルの測定方法を示す図である。
【図５】騒音レベルの測定結果を示す図である。
【図６】騒音レベルの測定結果を示す図である。
【図７】騒音レベルの測定結果を示す図である。
【図８】騒音レベルの測定結果を示す図である。
【符号の説明】
１  ドライアイス洗浄装置
２  洗浄作業空間
３  噴射ノズル（噴射ガン）
４  筐体
５  アームカバー
６  アームカバー蓋
７  防音材
８  手首挿入口
９  腕挿入部
１０  腕挿入口
１１  シリコン系ジェル
１２  シリコン系ゴム袋
１３  低温断熱材
１５  騒音レベル測定室
１６  騒音レベル測定器
【図１】
2004249202.tif 000003
【図２】
2004249202.tif 000004
【図３】
2004249202.tif 000005
【図４】
2004249202.tif 000006
【図５】
2004249202.tif 000007
【図６】
2004249202.tif 000008
【図７】
2004249202.tif 000009
【図８】
2004249202.tif 000010